(57)【要約】【課題】パソコン入力時又は調査時、又はパソコンのディスプレイの画面の閲覧時に有効にプライバシーの保護すると共に、構造を簡略化して、パソコンを操作する者にとって画面が見やすく且つ目の疲れを軽減することができ、しかも不用時には折り畳んでパソコンと共に携帯することの出来る液晶ディスプレイ又はノート型パソコン等の薄型ディスプレイに使用できる安価なパソコンのディスプレイフードを提供する。【解決手段】薄型パソコンのディスプレイの外枠にほぼ対応する大きさを有し、且つ上辺に掛止部を設けたフレームと、前記フレー厶の上辺に回動自在に設けられた天板と、前記フレームの両側辺に回動自在に設けられた左右側板ととからなり、組立時には前記天板は、左右側板の上端部によって支持されるようにした。【選択図】      図１
0003101946.tif 000002
【実用新案登録請求の範囲】
【請求項１】
薄型パソコンのディスプレイの外枠にほぼ対応する大きさを有し、且つ上辺に掛止部を設けたフレームと、
前記フレームの上辺に回動自在に設けられた天板と、
前記フレームの両側辺に回動自在に設けられた左右側板と、
とからなり、組立時には前記天板は、左右側板の上端部によって支持されるようにしたことを特徴とするパソコンのディスプレイフード。
【請求項２】
天板及び左右側板の大きさは、折り畳み時にフレーム内に収納可能な大きさとする請求項１記載のパソコンのディスプレイフード。
【請求項３】
フレームは、金属製又は硬質合成樹脂製である請求項１又は請求項２記載のパソコンのディスプレイフード。
【請求項４】
天板の両側端部には、側板上端部のストッパーとなる突出部を設けた請求項１、請求項２又は請求項３記載のパソコンのディスプレイフード。
【請求項５】
天板及び左右側板の内側面は暗色とした請求項１、請求項２、請求項３又は請求項４記載のパソコンのディスプレイフード。
【請求項６】
天板及び左右側板の内側面は黒色である請求項１、請求項２、請求項３又は請求項４記載のパソコンのディスプレイフード。
【考案の詳細な説明】
【技術分野】
【０００１】この考案は、パソコン入力時又は調査時、又はパソコンディスプレイの画面の閲覧時に有効にプライバシーの保護すると共に、パソコンを操作する者にとって画面が見やすく且つ目の疲れを軽減すると共に、不用時には折り畳んでパソコンと共に携帯することの出来るパソコンのディスプレイフードに関する。
【背景技術】
【０００２】従来、ディスプレイフードとして種々のものが提供されているが、液晶モニター用の遮光フィルターと画面保護カバーとの二用途に使い分けるものがある。（例えば、特許文献１参照）又、種々のサイズのディスプレイに使用することができるディスプレイ装着用フードとして開発されたものがある。（例えば、特許文献２参照）参照）。更には、漁船に搭載されるスキャニングソナーのディスプレイに関するものとして、使用時には容易に組立、不使用時には折り畳みできるディスプレイ用折り畳みフードもある（例えば、特許文献３参照）
しかしこれらの公知例は、いずれも構造が複雑であったり、遮光効果が充分でなかったり、プライバシーの保護に充分でなかったりする欠点があった。【０００３】
【特許文献１】登録実用新案第３０１５４２３号公報（図４及び図５）
【特許文献２】登録実用新案第３００２１２３号公報（図５）
【特許文献３】実開平６−１６８９０号公報（図４）
【考案の開示】
【考案が解決しようとする課題】
【０００４】従って、この考案の目的とするところは、パソコン入力時又は調査時、又はパソコンのディスプレイの画面の閲覧時に有効にプライバシーの保護すると共に、構造を簡略化して、パソコンを操作する者にとって画面が見やすく且つ目の疲れを軽減することができ、しかも不用時には折り畳んでパソコンと共に携帯することの出来る液晶ディスプレイ又はノート型パソコン等の薄型ディスプレイに使用できる安価なパソコンのディスプレイフードを提供することである。
【考案が解決するための手段】
【０００５】そこで、この考案は、薄型パソコンのディスプレイの外枠にほぼ対応する大きさを有し、且つ上辺に掛止部を設けたフレームと、前記フレームの上辺に回動自在に設けられた天板と、前記フレームの両側辺に回動自在に設けられた左右側板ととからなり、組立時には前記天板は、左右側板の上端部によって支持されるようにしたものである。
【０００６】天板及び左右側板の大きさは、折り畳み時にフレーム内に収納可能な大きさとしてある。
【０００７】更に、フレームは、金属製又は硬質合成樹脂製で製作することができる。
しかも、組立状態を安定するように、天板の両側端部には、側板上端部のストッパーとなる突出部を設けてある。
【０００８】更には、天板及び左右側板の内側面は暗色としたディスプレイでの画像が鮮明化するようにしてある。
【０００９】そして、又、画像が一層鮮明化するように、天板及び左右側板の内側面は黒色としたものである。
【考案の効果】
【００１０】この考案は、請求項１の記載によれば、薄型パソコンのディスプレイの外枠にほぼ対応する大きさを有し、且つ上辺に掛止部を設けたフレームと、前記フレームの上辺に回動自在に設けられた天板と、前記フレームの両側辺に回動自在に設けられた左右側板とからなり、組立時には前記天板は、左右側板の上端部によって支持されるようにしてあるので、不使用時には、フレームの上辺より天板を倒し、その後にフレームの両側辺より左右の側板を畳むことによって、全体として嵩張らずに薄型に折り畳みできることになり、又使用時には上方及び左右の側方が有効に遮光されるのでディスプレイが非常に見やすくなる。しかも、全体として単純な形状としてあるから軽量で、嵩張らず、しかもディスプレイとほぼ同程度の大きさであるから持ち運びに非常に便利である。
【００１１】請求項２の記載によれば、天板及び左右側板の大きさは、折り畳み時にフレーム内に収納可能な大きさとしてあるので、コンパクトに折り畳みすることができると共に、使用時には遮光効果及びプライバシーの保護を充分図ることができる。
【００１２】又、請求項３の記載によれば、フレームは、金属製又は硬質合成樹脂製であるから量産に適し且つ安価に提供できる。
【００１３】請求項４の記載によれば、天板の両側端部には、側板上端部のストッパーとなる突出部を設けてあるので、一旦組立られれば安定した状態で使用することができる。
【００１４】請求項５の記載によれば、天板及び左右側板の内側面は暗色としてあるから、ディスプレイの印字又は画像も鮮明に表れる。
【００１５】請求項６の記載によれば、天板及び左右側板の内側面は黒色であるから、その鮮明度は一層鮮やかとなる。
【考案を実施するための最良の形態】
【００１６】ノート型パソコンのディスプレイ部又は薄型ディスプレイ部を有する液晶タイプのデスクトップ型パソコンのようなパソコンａのディスプレイ部１の外形とほぼ対応する大きさの金属製又は硬質合成樹脂製の四辺形状のフレーム２の上辺３には、このフレーム２の上辺３に対して天板４が回動自在に取り付けられている。即ち、天板４のフレー厶側の端部に適数個形成した筒状コネクター５によりフレーム２の上辺３が回動自在に把持されている。天板４の大きさは、これが折り畳み時には、金属製又は硬質合成樹脂製の四辺形状のフレーム２内にほぼ納まる大きさが望ましい。【００１７】同様に、このフレー厶２の左右側辺６、６に対して左右側板７、７が回動自在に取り付けられている。即ち、フレーム２の側辺６、６に対して側板７、７のフレーム側の端部に適数個設けた筒状コネクター５によりフレーム２の側辺６、６が回動自在に把持されている。左右側板７、７の大きさも、これが折り畳み時には、金属製又は硬質合成樹脂製の四辺形状のフレーム２内にほぼ納まる大きさが望ましい。【００１８】フレーム２の上辺３には、パソコンａのディスプレイ部１の上部８に掛止に適した形状の掛止部９が形成されている。なお、この掛止部９は、鉤手状に形成してあると共に、ディスプレイ部１の上部８を傷つけぬように保護用としてゴム又は軟質合成樹脂製の緩衝材１１を取り付けてある。フレーム２がパソコンａのディスプレイ部１の外形とほぼ一致するように、フレーム２と一体的に形成された掛止部９をパソコンａのディスプレイ部１の上部８に掛止される。【００１９】天板４の両端部にはストッパーとなる突出部１０が下方に突出するように形成してある。前記フレーム２の上辺３に回動自在に設けられた天板４と、前記フレームの両側辺６、６に回動自在に設けられた左右の側板７、７とからなったいるので、まず、左右側板７、７をフレームの両側辺６、６よりパソコン１のディスプレイ部に対してほぼ直角に、即ち、観音開き状となるように開き、この左右側板７、７の上端部に天板４を置くようにする。この際、天板４の左右端部であって下方にストッパーとなる突出部１０の内側に左右の側板７、７の上端部が位置するようにすれば、左右側板７、７と天板４とからなるフードｂが完成する。左右の側板７、７の上端部はストッパーとなる突出部１０により拘束されることになり、振動などで不意にフードｂの組立状態が解除されることはない。【００２０】フレームの両側辺６、６の下端部には、パソコンａのディスプレイ部１の下部又はキーボードの本体部を傷つけないように保護用のゴム又は軟質合成樹脂等からなる保護キャップ１２が取付けられている。なお、１３はパソコンａの連結部である。【００２１】折り畳み時には、図５及び図６に示すように、フレーム２に対して左右の側板７、７及び天板４をそれぞれ内折すれば、左右の側板７、７と天板４とがフレーム２内に重なった状態でコンパクトに折り畳みが完了する。【００２２】パソコンａを使用する際、左右の側板７、７と天板４とからなるフードｂの内面、即ち、左右の側板７、７の内面及び天板４の下面を暗色とすれば、パソコン１のディスプレイ部の画像が鮮明になり、且つ遮光が効果的に行われる。【００２３】更に、左右の側板７、７と天板４とからなるフードｂの内面を黒色とした場合、遮光効果が万全に行われ、前記ディスプレイ部の画像がより一層鮮明となることになる。
【産業上の利用の可能性】
【００２４】前記のような本願考案は、ノート型パソコン又は薄型ディスプレイ部を有する液晶タイプのデスクトップ型パソコンのようなパソコンａのディスプレイ部１に適用すれば、パソコン入力時又は調査時、又はパソコンディスプレイの画面の閲覧時にこのフードを起こして使用すれば、プライバシーの有効な保護となると共に、パソコンを操作する者にとって画面が見やすく且つ目の疲れを軽減し、しかも不用時には折り畳んでパソコンと共にコンパクトに携帯することの出来る等、産業上非常に有効に利用することができるパソコンのディスプレイフードとなる。
【図面の簡単な説明】
【図１】組立状態を斜視図である。
【図２】使用状態を示す側面図である。
【図３】使用状態を示す正面図である。
【図４】掛止状態を示す一部拡大断面図である。
【図５】折畳状態を示す平面図である。
【図６】折畳状態を示す断面図である。
【符号の説明】
１．．．．ディスプレイ部
２．．．．フレーム
３．．．．上辺
４．．．．天板
５．．．．筒状コネツター
６．．．．側辺
７．．．．側板
８  ．．．ディスプレイ部の上部
９  ．．．掛止部
１０．．．突出片
１１．．．緩衝材
１２．．．キャップ
ａ  ．．．パソコン
ｂ  ．．．フード
【図１】
0003101946.tif 000003
【図２】
0003101946.tif 000004
【図３】
0003101946.tif 000005
【図４】
0003101946.tif 000006
【図５】
0003101946.tif 000007
【図６】
0003101946.tif 000008